(57)【要約】      （修正有）【課題】ソーラーパネルの取り付け固定構造を提供する。【解決手段】屋根がないが上部に複数の梁構造を有する建築構造上方に組み付けられ、各梁構造上方に間隔をおいて設置される複数の主横構造１を含み、各主横構造上部中央に線槽１１を凹設し、線槽底部に互いに連通する上滑動槽１３を設け、各上滑動槽内に複数の滑動可能な上滑動ブロック１３１を設け、各主横構造の間に間隔をおいて設置される複数の副横構造２を更に有する。ソーラーパネル６を２つの相対する辺側により２つの隣り合う主横構造上に載置し、他の２つの相対する辺側は、２つの隣り合う副横構造上に載置され、複数の片状の主押圧板３を更に有する。中央に軸方向に沿って複数の通孔３１を等間隔に設け、複数の上調整定位部材３２によりそれぞれ各通孔を貫通して上滑動槽中の上滑動ブロックに結合する。【選択図】図１
0003191254.tif 000002
【実用新案登録請求の範囲】
【請求項１】
屋根がないが上部に複数の梁構造を有する建築構造上方に組み付けられ、少なくとも、
各針構造上方に間隔をおいて設置され、上部中央に軸方向に延伸する線槽を凹設し、線槽底部に互いに連通する上滑動槽を設け、各上滑動槽内に複数の滑動可能な上滑動ブロックを設ける複数のストリップ形の主横構造と、
各主横構造の間に相互に間隔をおいて設置される複数のストリップ形の副横構造であり、該複横構造及び主横構造の結合を利用して方形のソーラーパネルを載置させる複数の枠格子を形成し、そのうち、該ソーラーパネルは、２つの相対する辺側が２つの隣り合う主横構造上に載置され、ソーラーパネルの他の２つの相対する側辺は、２つの隣り合う副横構造上に載置される副横構造と、
上側中央に軸方向に沿って複数の通孔を等間隔に設け、それぞれ各通孔を通過し、下向きに上滑動槽中の上滑動ブロックに接続する複数の上調整定位部材を更に設け、各主押圧板に２つの隣接側を各ソーラーパネルの主横構造に接近する一側辺縁に圧迫させ、定位を形成させる複数の長片状の主押圧板と、
を含むソーラーパネルの取り付け固定構造。
【請求項２】
前記主横構造の線槽の開口の２つの隣接側にそれぞれ側凹溝を凹設し、該主横構造の側凹溝内にそれぞれソーラーパネル底面の２つの相対する側辺に係止する弾性押圧部を嵌合設置し、該主押圧板の底面の２つの隣接側にそれぞれ凹溝を設け、各主押圧板の凹溝内にそれぞれソーラーパネル上面の主横構造に接近する辺側に係止する弾性押圧部を嵌合設置し、該副横構造上面の２つの隣接側にそれぞれ側凹溝を凹設し、該副横構造の側凹溝内にそれぞれソーラーパネル底面の他の２つの相対する辺側に係止する弾性押圧部を嵌合設置する請求項１に記載のソーラーパネルの取り付け固定構造。
【請求項３】
前記各ソーラーパネルの副横構造に接近する辺側の間は、シリコーンが充填されて接着される請求項１又は請求項２に記載のソーラーパネルの取り付け固定構造。
【請求項４】
前記各副横構造上部中央に軸方向に延伸する上滑動槽を凹設し、副横構造上の滑動槽内に複数の滑動可能な滑動ブロックを設け、また、各主押圧板の間に長片状の複数の副押圧板を設け、各副押圧板上側中央に軸方向に沿って複数の通孔を等間隔に設け、複数の調整定位部材によりそれぞれ各通孔を貫通し、下向きに副横構造の滑動ブロックに接続し、各副押圧板に２つの隣接側をソーラーパネルの副横構造に接近する側辺縁を圧迫させて定位を形成させる請求項１に記載のソーラーパネルの取り付け固定構造。
【請求項５】
前記副横構造の底面の２つの隣接側にそれぞれ凹溝を設け、凹溝内にそれぞれソーラーパネル上面の副横構造に接近する辺側に係止する弾性押圧部を嵌合設置する請求項４に記載のソーラーパネルの取り付け固定構造。
【請求項６】
前記副横構造の二端は、それぞれ接合部材を被せ合わせ、該２つの接合部材中段に複数の貫通孔を設け、複数の接合部材固定部材を利用して貫通孔を通過させ、主横構造の２つの隣接側に固定し、該接合部材及び主横構造を結合させることができ、各接合部材は、それぞれ２つの湾折する側部を有し、複数の副横構造固定部材により外側から順に副横構造、接合部材の側部を貫通し、該副横構造に接合部材により主横構造と相互の結合固定させることができる請求項１に記載のソーラーパネルの取り付け固定構造。
【請求項７】
前記主横構造の２つの隣接側の対応する位置にそれぞれ凹線を設け、該凹線は、各接合部材の貫通孔の位置に対応する請求項６に記載のソーラーパネルの取り付け固定構造。
【請求項８】
前記副横構造固定部材、接合部材固定部材は、それぞれ板金を貫通可能なセルフタッピングスクリューである請求項６に記載のソーラーパネルの取り付け固定構造。
【請求項９】
前記各主横構造は、それぞれ複数の底台を経由して梁構造上に結合固定され、該底台中央に主横構造底部に被さり合う収容空間を設け、該収容空間の２つの隣接側にそれぞれ長孔を設け、また、各主横構造の二側に設ける外に対して連通する側滑動槽は、それぞれ各長孔に対応し、２つの側滑動槽内にそれぞれ滑動可能な側滑動ブロックを設け、側調整定位部材を利用し、長孔を通過して側滑動ブロックに接続し、該主横構及び底台に結合を形成させることができる請求項１に記載のソーラーパネルの取り付け固定構造。
【請求項１０】
前記側調整定位部材は、ボルトであり、該側滑動ブロック表面は、該ボルトに螺合可能な螺子孔を設け、該ボルトを利用して螺子孔内の異なる位置にねじ込み、該側滑動ブロックに側滑動槽内で異なる程度の締め付けを形成させることができる請求項９に記載のソーラーパネルの取り付け固定構造。
【請求項１１】
前記上調整定位部材は、ボルトであり、該上滑動ブロック表面は、該ボルトを螺合可能な螺子孔を設け、該ボルトを利用して螺子孔内の異なる位置にねじ込み、該上滑動ブロックに上滑動槽内で異なる程度の締め付けを形成させることができる請求項１に記載のソーラーパネルの取り付け固定構造。
【請求項１２】
前記主、副押圧板底面は、２つの凹溝の間の中段にそれぞれソーラーパネルの辺側に係止できる２つの凸部を設ける請求項４又は請求項５に記載のソーラーパネルの取り付け固定構造。
【請求項１３】
前記主、副押圧板底面は、それぞれ凹溝及び凸部の間に摩擦部を設ける請求項１２に記載のソーラーパネルの取り付け固定構造。
【考案の詳細な説明】
【技術分野】
【０００１】
本考案は、ソーラーパネルの取り付け固定構造に関し、特に、屋根の横梁構造上に支持固定することができ、屋根が無いか屋根の構造強度が良好でない場合にソーラパネルを固定することに適用する構造に関する。
【背景技術】
【０００２】
中華民国実用新案第Ｍ４１１４５０号専利（特許）「ソーラーパネル固定装置改良構造」は、支持構造を利用して波板のリッジ箇所に貼合し、更に該支持構造の支持アームを利用して組み付け横梁を組み付けている。また、該組み付け横梁は、固定挟持ブロックを結合し、ソーラーパネルを、固定挟持ブロックを介して横梁上に固定させることができる。該案において、該組み付け横梁上に溝を開設し、これによりソーラーパネル構築の効率を向上させているが、該案の第１又は第２螺合アセンブリの鎖合固定時、ただ単辺のみが鎖合固定可能であるので、ボルト（第１ボルト又は第２ボルト）を鎖合物体及びナットに貫通設置し、更に、併せて溝中に滑り込ませ、滑り込ませる過程において、往々にしてナットが溝中に脱落する問題を招き、工程の進行を遅延させる。
【０００３】
また、該案の支持アームは、一辺側から上へ延伸し、該組み付け横梁に結合するので、重心のずれを招き、傾き倒れ易く、且つ波板が往々にして環境又は人為的要因でリッジ箇所の高さに差異が生じ、この案の支持構造は、ソーラーパネルを構築する過程において、組み付け横梁及び支持構造の結合時に統一された高さ又は屋根の平行の角度を維持することが容易でなく、該支持構造を絶えず調整するか、再構成する必要があり、施工の過程が極めて不便である。また、波板のリッジは、多種の異なるタイプ及び形状を有し、各波板のリッジの規格に基づいて適合する支持構造を製造する必要があり、生産コストを大幅に増加させる。
【０００４】
また、本願の出願人は、これに対して改良を行い、中華民国実用新案第Ｍ４４７４８４号専利「ソーラーパネル固定装置」を出願しており、それは、ソーラーパネルを波板に固定することに用いられ、第１ソケット体、第２ソケット体、横梁及び少なくとも１つの第１挟持部愛を含み、該第１ソケット体は、該第２ソケット体上方に設置され、且つ第１鎖合固定部材により該第１ソケット体及び該第２ソケット体を該波板上に鎖合固定し、該横梁は、溝を開設した横梁本体及び該溝中に設置され、該第１ソケット体の２つの側板の間に結合される複数の滑動部材を含み、該第１挟持部材は、該横梁本体上方に鎖合固定され、且つ挟持部によりソーラーパネルを挟持し、該滑動部材及び該溝、該側板に開設する長孔及び該第２ソケット体の翼板等の特殊設計を利用し、本考案のソーラーパネル固定装置にソーラーパネルを更に堅く固定させるだけでなく、且つ実装構築の過程において、更に便利にし、各種建築構造の屋根上に広く適用できるようにしている。
【０００５】
しかしながら、上記各従来構造において、各ソーラーパネルは、ただ挟持固定部材を介して固定され、相互の間に防水防塵の密封構造を構成することができておらず、それは、既に屋根（又は波板）を有する建築構造上に適用することのみ可能であり、新築又は改築の建築構造（例えば、有機植栽棚構造、栽培用の温室又はその他のソーラーパネルを取り付け予定の家屋）に対しては、依然として屋根の施工が完成後に初めてソーラーパネルの取り付けを行うことができ、特別適用される関連製品がみられず、従来のソーラーパネルの構築方式は、工程が時間を浪費するだけなく、屋根の負荷を増大させ、より多くの材料コストを別途消費する必要があり、早急に改善が期待される問題となっている。
【０００６】
これに鑑み、本考案者は、該欠陥について改良方法を研究し、ようやく本考案を誕生させている。
【先行技術文献】
【特許文献】
【０００７】
【特許文献１】特開２０１３−１２２１２７号公報
【考案の概要】
【考案が解決しようとする課題】
【０００８】
本考案の主な目的は、ソーラーパネル全体構造を建築の上部とし、剛性的遮蔽を形成し、風雨及び灰塵を阻止し、材料コスト及び建築物の負荷を効率的に減少させ、建築物の安定性及び付加価値を向上させることができるソーラーパネルの取り付け固定構造を提供することにある。
【０００９】
本考案のもう１つの目的は、ソーラーパネルを屋根が無いか、上部平面の支持強度が良好でない構造体（例えば、有機触媒の棚構造）上に固定し、応用範囲を広げることができるソーラーパネルの取り付け固定構造を提供することにある。
【課題を解決するための手段】
【００１０】
上記目的及び効果を達成する為、本考案が採用する技術手段は、屋根がないが上部に複数の梁構造を有する建築構造上方に組み付けられ、それは、少なくとも、各針構造上方に間隔をおいて設置され、上部中央に軸方向に延伸する線槽を凹設し、線槽底部に互いに連通する上滑動槽を設け、各上滑動槽内に複数の滑動可能な上滑動ブロックを設ける複数のストリップ形の主横構造と、各主横構造の間に相互に間隔をおいて設置される複数のストリップ形の副横構造であり、該複横構造及び主横構造の結合を利用して方形のソーラーパネルを載置させる複数の枠格子を形成し、そのうち、該ソーラーパネルは、２つの相対する辺側が２つの隣り合う主横構造上に載置され、ソーラーパネルの他の２つの相対する側辺は、２つの隣り合う副横構造上に載置される副横構造と、上側中央に軸方向に沿って複数の通孔を等間隔に設け、それぞれ各通孔を通過し、下向きに上滑動槽中の上滑動ブロックに接続する複数の上調整定位部材を更に設け、各主押圧板に２つの隣接側を各ソーラーパネルの主横構造に接近する一側辺縁に圧迫させ、定位を形成させる複数の長片状の主押圧板と、を含む。
【００１１】
上記構造に基づき、該主横構造の線槽の開口の２つの隣接側にそれぞれ側凹溝を凹設し、該主横構造の側凹溝内にそれぞれソーラーパネル底面の２つの相対する側辺に係止する弾性押圧部を嵌合設置し、該主押圧板の底面の２つの隣接側にそれぞれ凹溝を設け、各主押圧板の凹溝内にそれぞれソーラーパネル上面の主横構造に接近する辺側に係止する弾性押圧部を嵌合設置し、該副横構造上面の２つの隣接側にそれぞれ側凹溝を凹設し、該副横構造の側凹溝内にそれぞれソーラーパネル底面の他の２つの相対する辺側に係止する弾性押圧部を嵌合設置する。
【００１２】
上記構造に基づき、そのうち、各ソーラーパネルの副横構造に接近する辺側の間は、シリコーンが充填されて接着される。
【００１３】
上記構造に基づき、そのうち、各副横構造上部中央に軸方向に延伸する上滑動槽を凹設し、副横構造上の滑動槽内に複数の滑動可能な滑動ブロックを設け、また、各主押圧板の間に長片状の複数の副押圧板を設け、各副押圧板上側中央に軸方向に沿って複数の通孔を等間隔に設け、複数の調整定位部材によりそれぞれ各通孔を貫通し、下向きに副横構造の滑動ブロックに接続し、各副押圧板に２つの隣接側をソーラーパネルの副横構造に接近する側辺縁を圧迫させて定位を形成させる。
【００１４】
上記構造に基づき、そのうち、該副横構造の底面の２つの隣接側にそれぞれ凹溝を設け、凹溝内にそれぞれソーラーパネル上面の副横構造に接近する辺側に係止する弾性押圧部を嵌合設置する。
【００１５】
上記構造に基づき、そのうち、該副横構造の二端は、それぞれ接合部材を被せ合わせ、該２つの接合部材中段に複数の貫通孔を設け、複数の接合部材固定部材を利用して貫通孔を通過させ、主横構造の２つの隣接側に固定し、該接合部材及び主横構造を結合させることができ、各接合部材は、それぞれ２つの湾折する側部を有し、複数の副横構造固定部材により外側から順に副横構造、接合部材の側部を貫通し、該副横構造に接合部材により主横構造と相互の結合固定させることができる。
【００１６】
上記構造に基づき、そのうち、主横構造の２つの隣接側の対応する位置にそれぞれ凹線を設け、該凹線は、各接合部材の貫通孔の位置に対応し、副横構造を結合させる時に水平位置合わせの基準とすることに用いられる。
【００１７】
上記構造に基づき、そのうち、該副横構造固定部材、接合部材固定部材は、それぞれ板金を貫通可能なセルフタッピングスクリューである。
【００１８】
上記構造に基づき、そのうち、各主横構造は、それぞれ複数の底台を経由して梁構造上に結合固定され、該底台中央に主横構造底部に被さり合う収容空間を設け、該収容空間の２つの隣接側にそれぞれ長孔を設け、また、各主横構造の二側に設ける外に対して連通する側滑動槽は、それぞれ各長孔に対応し、２つの側滑動槽内にそれぞれ滑動可能な側滑動ブロックを設け、側調整定位部材を利用し、長孔を通過して側滑動ブロックに接続し、該主横構及び底台に結合を形成させることができる。
【００１９】
上記構造に基づき、そのうち、該側調整定位部材は、ボルトであり、該側滑動ブロック表面は、該ボルトに螺合可能な螺子孔を設け、該ボルトを利用して螺子孔内の異なる位置にねじ込み、該側滑動ブロックに側滑動槽内で異なる程度の締め付けを形成させることができる。
【００２０】
上記構造に基づき、そのうち、該上調整定位部材は、ボルトであり、該上滑動ブロック表面は、該ボルトを螺合可能な螺子孔を設け、該ボルトを利用して螺子孔内の異なる位置にねじ込み、該上滑動ブロックに上滑動槽内で異なる程度の締め付けを形成させることができる。
【００２１】
上記構造に基づき、そのうち、該主、副押圧板底面は、２つの凹溝の間の中段にそれぞれソーラーパネルの辺側に係止できる２つの凸部を設ける。
【００２２】
上記構造に基づき、そのうち、該主、副押圧板底面は、それぞれ凹溝及び凸部の間に摩擦部を設ける。
【考案の効果】
【００２３】
本考案のソーラーパネルの取り付け固定構造は、ソーラーパネル全体構造を建築の上部とし、剛性的遮蔽を形成し、風雨及び灰塵を阻止し、材料コスト及び建築物の負荷を効率的に減少させ、建築物の安定性及び付加価値を向上させることができる。
【図面の簡単な説明】
【００２４】
【図１】本考案の第１実施例の構造分解図である。
【図２】本考案の第１実施例の底台、主横構造及び固定押圧板の組み合わせ部位の断面図である。
【図３】本考案の第１実施例の組み合わせ説明図である。
【図４】本考案の第１実施例の副横構造及びソーラーパネルの組み合わせ部位の断面図である。
【図５】本考案の第２実施例の局部組み合わせ拡大図である。
【図６】本考案の第２実施例の組み合わせ説明図である。
【図７】本考案の第２実施例の副横構造及び固定押圧板の組み合わせ部位の断面図である。
【図８】本考案の第３実施例の構造分解図である。
【図９】本考案の第３実施例の底台、主横構造及び固定押圧板の組み合わせ部位の断面図である。
【図１０】本考案の第３実施例の組み合わせ説明図である。
【図１１】本考案の第３実施例の副横構造及びソーラーパネルの組み合わせ部位の断面図である。
【図１２】本考案の第４実施例の局部組み合わせ拡大図である。
【図１３】本考案の第４実施例の組み合わせ説明図である。
【図１４】本考案の第４実施例の副横構造及び固定押圧板の組み合わせ部位の断面図である。
【考案を実施するための形態】
【００２５】
本考案の上記目的、効果及び特徴を更に分かり易くする為、以下に図面に合わせた例により説明する。
【００２６】
図１〜図４に示すように、本考案の第１実施例の構造は、主横構造１、副横構造２、底台４及び主押圧板３等の部分を含み、そのうち、該主横構造は、ストリップ状構造体であり、該主横構造１上部中央に軸方向に沿って延伸する線槽１１を凹設し、該線槽１１の開口の２つの隣接側に更に凹溝１２を凹設し、線槽１１底部に互いに連通する上滑動槽１３を設け、該上滑動槽１３内に滑動可能な上滑動ブロック１３１を設け、更に、主横構造１の二側に外に対して連通する側滑動槽１４を設け、２つの側滑動槽１４内にそれぞれ滑動可能な側滑動ブロック１４１を設け、主横構造１の２つの隣接側の対応する位置にそれぞれ凹線１５を設け、副横構造２の結合時に水平位置合わせの基準とさせることに用いる。
【００２７】
副横構造２は、中空ストリップ状構造体であり、その二端は、それぞれ接合部材２３を被せ合わせ、該副横構造２上部中央に軸方向に沿って延伸する上滑動槽２１を凹設し、上滑動槽２１開口の２つの隣接側に側凹溝２２を更に凹設し、２つの接合部材２３中段に凹線１５に対応する貫通孔２３１を設け、複数の接合部材固定部材２３２を利用し、貫通孔２３１を貫通して主横構造１の２つの隣接側の凹線１５の位置に固定し、各接合部材２３は、それぞれ副横構造２内側に貼合する２つの側部２３４を有し、複数の横構造固定部材２３３により外側から順に副横構造２、接合部材２３の側部２３４を通過し、該複横構造２を、接合部材２３を介して２つの主横構造１の間に結合させることができる。１つの実施例において、該副横構造固定部材２３３、接合部材固定部材２３２は、それぞれセルフタッピングスクリューであることができ、直接貫通させることにより主横構造１、副横構造２及び副横構造２、接合部材２３に結合を形成する。
【００２８】
主押圧板３は、長形片状構造体であり、その上側中央に複数の通孔３１を等間隔に設け、各通孔３１は、それぞれ上調整定位部材３２を通過させ、下向きに上滑動ブロック１３１を接続し、主押圧板３底面は、２つの隣接側からそれぞれ中央へ向けて順に凹溝３４、摩擦部３５、凸部３３を設け、該摩擦部３５は、鋸歯状帆油面又は類似する比較的大きな摩擦効果を有する表面であることができる。１つの実施例において、該上調整定位部材３２は、ボルトであることができ、該上滑動ブロック１３１表面に該ボルトを螺合可能な螺子孔１３１１を設け、該ボルトを利用して螺子孔１３１１内の異なる位置にねじ込み、該上滑動ブロック１３１に上滑動槽１３内で異なる程度の締め付けを形成させることができ、該主押圧板３に主横構造１上方において接続を形成させる。
【００２９】
底台４は、中央に上向きに開口する収容空間４１を設け、該収容空間４１は、該主横構造１底部を収容して被せ合わせることができ、該収容空間４１の２つの隣接側にそれぞれ外向きに貫通する長孔４２を設け、側調整定位部材１４２を利用し、長孔４２を通過して側滑動ブロック１４１に接続し、該主横構造１及び底台４に結合を形成させることができる。１つの実施例において、該側調整定位部材１４は、ボルトであることができ、該側滑動ブロック１３１表面は、該ボルトを螺合可能な螺子孔１４１１を設け、該ボルトを利用して螺子孔１４１１内の異なる位置にねじ込み、該側滑動ブロック１４１に側滑動槽１４内で異なる程度の締め付けを形成させることができる。
【００３０】
前記第１実施例の構造は、辺枠６１を有するソーラーパネル６（例えば、２５０Ｗ結晶シリコンモジュール）に適用されることができ、実際の応用時、複数の底台４をそれぞれ等間隔で（ソーラーパネル６一側の幅に同一）屋根がない建築構造体を予め設けた上部梁構造７上に結合し、各底台４を利用して複数の主横構造１を横方向に交錯して間隔をおいて梁構造７上方に固定することができ、複数の副横構造２を利用して梁構造７の縦方向に平行に等間隔で（ソーラーパネル６の他側の幅に同一）各主横構造１の間に結合し、このようにして、複数のソーラーパネル６の辺縁をそれぞれ該複数の主横構造１、副横構造２から構成される枠構造上に置き、複数の主押圧板３をそれぞれ各主横構造１上に組み付け、各ソーラーパネル６の２つの相対する辺側の辺枠６１上に押し合わせ、各ソーラーパネル６に定位を形成させ、各ソーラーパネル６の他の２つの相対する辺側は、シリコーンＡを介して接着することができ、該シリコーンＡは、主押圧板３を合わせて各ソーラーパネル６の周縁に効率的な防水構造を形成することができ、該複数のソーラーパネル６に太陽光を受けて正常に電気エネルギーを発生する所定の効果を持たせる以外に、梁構造７上に屋根と同一の遮蔽構造を形成させることを兼ね備える。
【００３１】
図５〜図７に示すように、本考案の第２実施例の構造は、第１実施例の主横構造１、副横構造２、主押圧板３、底台４以外に、更に、複数の副押圧板５等の構成部材を追加する。そのうち、主横構造１、副横構造２、主押圧板３、底台４は、同一方式で相互に組み立て結合する。
【００３２】
該副押圧板５は、長形片状構造体であり、その上側中央に複数の通孔５１を等間隔に設け、各通孔５１は、それぞれ調整定位部材５２を通過させ、下向きに滑動ブロック２１１を接続でき、且つ該滑動ブロック２１１は、副横構造２の上滑動槽２１内に滑動可能に設置され、副押圧板５底面は、２つの隣接側からそれぞれ中央へ順に凹溝５４、摩擦部５５、凸部５３を設け、該摩擦部５５は、鋸歯状表面又は類似する比較的大きな摩擦効果を有する表面であることができる。１つの実施例において、該調整定位部材５２は、ボルトであり、該滑動ブロック２１１表面は、該ボルトを螺合できる螺子孔２１１１を設け、該ボルトを利用して螺子孔２１１１内の異なる位置にねじ込み、該滑動ブロック２１１に上滑動槽２１内で異なる程度の締め付けを形成させることができ、該複押圧板５に副横構造２上方で結合を形成させる。この種の第２実施例の構造が辺枠６１を有するソーラーパネル６に応用される場合、その主横構造１、副横構造２、底台４は、同一の方式で所設の建築構造体の梁構造７上に相互に組み立て結合され、複数の主押圧板３を利用してそれぞれ各主横構造１上に組み付け、各ソーラーパネル６の２つの相対する辺側の辺枠６１上に押し合わせられ、複数の副押圧板５を利用してそれぞれ各副横構造２上に組み付けられ、各ソーラーパネル６の他の２つの相対する辺側の辺枠６１に押し合わせられ、各ソーラーパネル６に定位を形成させ、且つ該主押圧板３、副押圧板５は、各ソーラパネル６の間に効率的な阻隔防水効果を形成することができる。
【００３３】
図８〜図１１に示すように、本考案の第３実施例の構造は、主に、主横構造１０、副横構造２０、主押圧板３０、及び第１実施例と同一の底台４を含み、そのうち、該主横構造１０は、前記主横構造１と同一の構造を有する以外に、更に、その２つの側凹溝１２内にそれぞれ弾性押圧部１６を嵌合設置し、各弾性押圧部１６は、側凹溝１２該の一端に向けてそれぞれ摩擦部を設け、該摩擦部は、鋸歯状表面又は類似する比較的大きな摩擦効果を有する表面であることができる。
【００３４】
該副横構造２０は、前記副横構造２と同一の構造を有する以外に、更に、その２つの側凹溝２２内に弾性押圧部２６を嵌合設置し、各弾性押圧部２６は、側凹溝２２外の一端へ向けてそれぞれ摩擦部を設け、該摩擦部は、鋸歯状表面又は類似する比較的大きな摩擦効果を有する表面であることができる。
【００３５】
主押圧板３０は、前記主押圧板３と同一の構造を有する以外に、更に、その２つの凹溝３４内にそれぞれ弾性押圧部３６を嵌合設置し、各弾性押圧部３６は、凹溝３４顔の一端に向けてそれぞれ摩擦部を設け、該摩擦部は、鋸歯状表面又は類似する比較的大きな摩擦効果を有する表面であることができる。
【００３６】
この種の第３実施例の構造は、辺枠を有さないソーラーパネル６０（例えば、１３５Ｗ透光型微小結晶シリコン薄膜モジュール）に適用され、実際の応用時、複数の底台４をそれぞれ等間隔（ソーラーパネル６０一側の幅に同一）で所設の屋根のない建築構造体上部の梁構造７上に結合し、各底台４を利用して複数の主横構造１０を横方向に交錯して間隔をおいて梁構造７上方に固定し、更に、複数の副横構造２０を利用して梁構造７の縦方向に平行して等間隔（ソーラーパネル６０の他側の幅に同一）で各主横構造１０の間に接続する。このように、複数のソーラーパネル６０の辺縁をそれぞれ該複数の主横構造１０、副横構造２０から構成される枠構造上に置くことができ、複数の主押圧板３０をそれぞれ各主横構造１０上に組み付け、各ソーラーパネル６０の２つの相対する辺側上に押し合わせ、各ソーラーパネル６０に定位を形成させ、同時に、該弾性押圧部３６は、押圧を受けて主押圧板３０及び２つのソーラーパネル６０の間に阻隔を形成することができ、該弾性押圧部１６は、押圧を受けて主横構造１０及び２つのソーラーパネル６０の間に阻隔を形成し、各ソーラーパネル６０の他の２つの相対する辺側にシリコーンＢを経由して接着することができ、該シリコーンＢを利用して主押圧板３０を合わせて各ソーラーパネル６０周縁に効率的な防水構造を形成することができ、複数のソーラーパネル６０に太陽光を受けて正常に電気エネルギーを発生する所定の効果を持たせる以外に、梁構造７上に屋根と同一の遮蔽構造を形成させることを兼ね備える。
【００３７】
図１２〜図１４に示すように、本考案の第４実施例の構造は、第３実施例の主横構造１０、副横構造２０、主押圧板３０、底台４以外に、更に、複数の副押圧板５０等の構成部材を追加する。そのうち、主横構造１０、副横構造２０、主押圧板３０、底台４は、同一方式で相互に組み立て結合する。
【００３８】
該副押圧板５０は、前記副押圧板５と同一の構造を有する以外に、更に、その２つの凹溝５４内にそれぞれ弾性押圧部５６を嵌合設置し、各弾性押圧部５６は、凹溝５４外の一端へ向けてそれぞれ摩擦部を設け、該摩擦部は、鋸歯状表面又は類似する比較的大きな摩擦効果を有する表面であることができる。
【００３９】
この種の第４実施例の構造がソーラーパネル６０上に応用される場合、その主横構造１０、副横構造２０、底台４は、同一方式で所設の建築構造体の梁構造７上に相互に組み立て結合し、複数の主押圧板３０を利用してそれぞれ各主横構造１０上に組み付け、各ソーラーパネル６０の他の２つの相対する辺側上に押し合わせ、各ソーラーパネル６０に定位を形成させ、且つ該弾性押圧部３６は、主押圧板３０の２つの隣接側及び２つのソーラーパネル６０の間に防水阻隔を形成することができ、該弾性押圧部１６は、主横構造１０の２つの隣接側及び２つのソーラーパネル６０の間に防水阻隔を形成することができ、該弾性押圧部５６は、副押圧板５０の２つの隣接側及び２つのソーラーパネル６０の間に防水阻隔を形成することができ、該弾性押圧部２６は、副横構造２０の２つの隣接側及び２つのソーラーパネル６０の間に防水阻隔を形成することができ、これにより、各ソーラーパネル６０の間に効率的な防水阻隔効果を形成させる。
【００４０】
上記を綜合し、本考案のソーラーパネルの取り付け固定構造は、ソーラーパネルの応用場面を拡大し、ソーラーパネルの付加価値を向上する効果を達成することができる。
【００４１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４２】
１０  主横構造
１１  線槽
１２，２２  側凹溝
１３，２１  上滑動槽
１３１  上滑動ブロック
１３１１，１４１１，２１１１  螺子孔
１４  側滑動槽
１４１  側滑動ブロック
１４２  側調整定位部材
１５  凹線
１６，２６，３６，５６  弾性押圧部
２，２０  副横構造
２１１  滑動ブロック
２３  接合部材
２３１  貫通孔
２３２  接合部材固定部材
２３３  副横構造固定部材
２３４  側部
３，３０  主押圧板
３１，５１  通孔
３２  上調整定位部材
３３，５３  凸部
３４，５４  凹溝
３５，５５  摩擦部
４  底台
４１  収容空間
４２  長孔
５，５０  副押圧板
５２  調整定位部材
６，６０  ソーラーパネル
６１  フレーム
７  楔構造
Ａ，Ｂ  シリコーン
【図１】
0003191254.tif 000003
【図２】
0003191254.tif 000004
【図３】
0003191254.tif 000005
【図４】
0003191254.tif 000006
【図５】
0003191254.tif 000007
【図６】
0003191254.tif 000008
【図７】
0003191254.tif 000009
【図８】
0003191254.tif 000010
【図９】
0003191254.tif 000011
【図１０】
0003191254.tif 000012
【図１１】
0003191254.tif 000013
【図１２】
0003191254.tif 000014
【図１３】
0003191254.tif 000015
【図１４】
0003191254.tif 000016